【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
ドッキングホストにおいて動作可能な、ドッキーとドッキングするための方法であって、
前記ドッキングホストとの通信に利用可能な周辺機器のリストを生成するステップと、
前記周辺機器のリストによってサポートされることが可能な1つまたは複数のサポートされるドッキングプロファイルを判断するステップであって、前記ドッキングプロファイルは、前記周辺機器のリスト、その周辺機能プロトコル、およびそのペイロード接続プロトコルによって指定される、ステップと、
前記1つまたは複数のサポートされるドッキングプロファイルの指示を前記ドッキーに送信するステップと、
前記ドッキーとドッキングして、前記サポートされるドッキングプロファイルのうち1つに対応する前記ドッキングホストに通信可能に結合された1つまたは複数の周辺機器のセットを使用するステップと、
を含む方法。
【請求項２】
1つまたは複数のドッキングプロファイルを判断する前記ステップが、
前記生成された周辺機器のリストを、記憶されたドッキングプロファイルリストと比較するステップと、
サポートされるドッキングプロファイルのリストに投入するステップであって、前記1つまたは複数のサポートされるドッキングプロファイルの各々が、事前構成された使用ケースに対応する最小周辺機器セットを含む、
ステップと、
を含む、請求項1に記載の方法。
【請求項３】
前記ドッキーとドッキングする前記ステップが、前記ドッキングのために、パブリックモード、プライベートモード、または管理モードのうち1つを選択するステップを含み、
前記パブリックモードが、ドッキングホスト機能性へのアクセスを制限するのに適合されたドッキングモードであり、
前記プライベートモードが、前記ドッキングホスト機能性へのフルアクセスを提供するのに適合されたドッキングモードであり、
前記管理モードが、前記ドッキングホスト機能性への管理されたアクセスを提供するのに適合されたドッキングモードである、請求項2に記載の方法。
【請求項４】
前記ドッキーから、1つまたは複数の要求されたドッキングプロファイルの指示を受信するステップであって、前記1つまたは複数のドッキングプロファイルの各々が、事前構成された使用ケースに対応する最小周辺機器セットを含む、ステップと、
前記1つまたは複数の要求されたドッキングプロファイルを、1つまたは複数のサポートされるドッキングプロファイルのリストと比較するステップと、
前記ドッキーとドッキングして、前記サポートされるドッキングプロファイルのうち1つに対応する前記ドッキングホストに通信可能に結合された1つまたは複数の周辺機器のセットを使用するステップと、
をさらに含む、請求項1に記載の方法。
【請求項５】
前記ドッキーから、1つまたは複数の要求されたドッキングプロファイルの指示を受信するステップであって、前記1つまたは複数のドッキングプロファイルの各々が、事前構成された使用ケースに対応する最小周辺機器セットを含む、ステップと、
前記1つまたは複数の要求されたドッキングプロファイルのうち1つに対応する周辺機器のグループを編成するステップと、
前記ドッキーとドッキングして、前記サポートされるドッキングプロファイルのうち1つに対応する前記ドッキングホストに通信可能に結合された1つまたは複数の周辺機器のセットを使用するステップと、
をさらに含む、請求項1に記載の方法。
【請求項６】
前記ドッキーから、1つまたは複数の要求されたドッキングプロファイルの指示を受信するステップであって、前記1つまたは複数の要求されたドッキングプロファイルの各々が、事前構成された使用ケースに対応する最小周辺機器セットを含む、ステップと、
前記1つまたは複数の要求されたドッキングプロファイルのうちのどれも、ドッキングセッションにとって利用可能でないと判断するステップと、
1つまたは複数の利用可能周辺機器のリストを前記ドッキーに送信するステップと、
をさらに含む、請求項1に記載の方法。
【請求項７】
1つまたは複数の利用可能周辺機器の前記送信されたリストのうちの1つまたは複数の周辺機器を含むドッキング環境を使用して、前記ドッキーとドッキングするステップをさらに含む、請求項6に記載の方法。
【請求項８】
ドッキーとドッキングするために構成されたドッキングホストであって、
前記ドッキングホストとの通信に利用可能な周辺機器のリストを生成するための手段と、
前記周辺機器のリストによってサポートされることが可能な1つまたは複数のサポートされるドッキングプロファイルを判断するための手段であって、前記ドッキングプロファイルは、前記周辺機器のリスト、その周辺機能プロトコル、およびそのペイロード接続プロトコルによって指定される、手段と、
前記1つまたは複数のサポートされるドッキングプロファイルの指示を前記ドッキーに送信するための手段と、
前記ドッキーとドッキングして、前記サポートされるドッキングプロファイルのうち1つに対応する前記ドッキングホストに通信可能に結合された1つまたは複数の周辺機器のセットを使用するための手段と、
を備えるドッキングホスト。
【請求項９】
1つまたは複数のドッキングプロファイルを判断するための前記手段が、
前記生成された周辺機器のリストを、記憶されたドッキングプロファイルリストと比較し、
サポートされるドッキングプロファイルのリストに投入するようにさらに構成され、前記1つまたは複数のサポートされるドッキングプロファイルの各々が、事前構成された使用ケースに対応する最小周辺機器セットを含む、請求項8に記載のドッキングホスト。
【請求項１０】
前記ドッキーをドッキングするための前記手段が、前記ドッキングのために、パブリックモード、プライベートモード、または管理モードのうち1つを選択するようにさらに構成され、
前記パブリックモードが、ドッキングホスト機能性へのアクセスを制限するのに適合されたドッキングモードであり、
前記プライベートモードが、前記ドッキングホスト機能性へのフルアクセスを提供するのに適合されたドッキングモードであり、
前記管理モードが、前記ドッキングホスト機能性への管理されたアクセスを提供するのに適合されたドッキングモードである、請求項9に記載のドッキングホスト。
【請求項１１】
前記ドッキーから、1つまたは複数の要求されたドッキングプロファイルの指示を受信するための手段であって、前記1つまたは複数のドッキングプロファイルの各々が、事前構成された使用ケースに対応する最小周辺機器セットを含む、手段と、
前記1つまたは複数の要求されたドッキングプロファイルを、1つまたは複数のサポートされるドッキングプロファイルのリストと比較するための手段と、
前記ドッキーとドッキングして、前記サポートされるドッキングプロファイルのうち1つに対応する前記ドッキングホストに通信可能に結合された1つまたは複数の周辺機器のセットを使用するための手段と、
をさらに備える、請求項8に記載のドッキングホスト。
【請求項１２】
前記ドッキーから、1つまたは複数の要求されたドッキングプロファイルの指示を受信するための手段であって、前記1つまたは複数のドッキングプロファイルの各々が、事前構成された使用ケースに対応する最小周辺機器セットを含む、手段と、
前記1つまたは複数の要求されたドッキングプロファイルのうち1つに対応する周辺機器のグループを編成するための手段と、
前記ドッキーとドッキングして、前記サポートされるドッキングプロファイルのうち1つに対応する前記ドッキングホストに通信可能に結合された1つまたは複数の周辺機器のセットを使用するための手段と、
をさらに備える、請求項8に記載のドッキングホスト。
【請求項１３】
前記ドッキーから、1つまたは複数の要求されたドッキングプロファイルの指示を受信するための手段であって、前記1つまたは複数の要求されたドッキングプロファイルの各々が、事前構成された使用ケースに対応する最小周辺機器セットを含む、手段と、
前記1つまたは複数の要求されたドッキングプロファイルのうちのどれも、ドッキングセッションにとって利用可能でないと判断するための手段と、
1つまたは複数の利用可能周辺機器のリストを前記ドッキーに送信するための手段と、
をさらに備える、請求項8に記載のドッキングホスト。
【請求項１４】
1つまたは複数の利用可能周辺機器の前記送信されたリストのうちの1つまたは複数の周辺機器を含むドッキング環境を使用して、前記ドッキーとドッキングするための手段をさらに備える、請求項13に記載のドッキングホスト。
【請求項１５】
コンピュータに、請求項1から7のいずれか一項に記載の方法を実行させるための命令を含む、コンピュータ可読記憶媒体。